(57)【要約】【課題】１本の伝送線路で，複数の衛星中間周波信号を各端末端子まで伝送する。【解決手段】第１衛星の中間周波信号を出力する第１の衛星受信アンテナと，第２衛星の第１中間周波信号及び，第３衛星の中間周波信号を出力する第２の衛星受信アンテナと，前記第２衛星の第１中間周波信号を，第２衛星の第２中間周波信号に変換する第１の周波数変換器と，前記第１衛星の中間周波信号と第３衛星の中間周波信号と第２衛星の第２中間周波信号を混合して１本の伝送線路で端末端子まで伝送するための混合器を設け，端末端子では前記第１衛星の中間周波信号と第３衛星の中間周波信号と第２衛星の第２中間周波信号とを各々選択して出力する第２の分波器を備え，前記第２の分波器から出力された第２衛星の第２中間周波信号を，元の第２衛星の第１中間周波信号に戻すための第２の周波数変換器を備えた。【選択図】　図１
2004032203.tif 000002
【特許請求の範囲】
【請求項１】
衛星信号受信伝送システムにおいて，
第１衛星の信号を受信して，少なくとも一部の周波数が重複する，異なる偏波の組からなる中間周波信号を切換えて出力する第１の衛星受信アンテナと，
第２衛星の信号と第３衛星の信号を受信して，前記第１衛星の中間周波信号の周波数と少なくとも一部が重複する第２衛星の第１中間周波信号及び，前記第１衛星の中間周波信号の周波数とは重複しない第３衛星の中間周波信号を出力する第２の衛星受信アンテナと，
前記第２の衛星受信アンテナが受信した第２衛星の第１中間周波信号と第３衛星の中間周波信号を分波して出力する第１の分波器と，
前記第２衛星の第１中間周波信号を，前記第１衛星の中間周波信号及び第３衛星の中間周波信号と周波数が異なる第２衛星の第２中間周波信号に変換するための第１の周波数変換器と，
前記第３衛星の中間周波信号と第２衛星の第２中間周波信号を混合するための第１の混合器と，
前記第１の混合器で混合された混合信号と第１衛星の中間周波信号を混合するための第２の混合器を備え，
前記第２の混合器から出力される前記第１衛星の中間周波信号と第３衛星の中間周波信号と第２衛星の第２中間周波信号を，１本の伝送線路で端末端子まで伝送すると共に，
端末端子には前記第１衛星の中間周波信号と第３衛星の中間周波信号と第２衛星の第２中間周波信号とを各々分波して出力する第２の分波器を備え，
前記第２の分波器から出力された第２衛星の第２中間周波信号を，元の第２衛星の第１中間周波信号に戻すための第２の周波数変換器を備えた
ことを特徴とする衛星信号受信伝送システム。
【請求項２】
前記第２の混合器で，前記第１衛星の中間周波信号と第３衛星の中間周波信号と第２衛星の第２中間周波信号と周波数が重複することがない信号を混合して，端末端子まで伝送する
ことを特徴とする請求項１に記載の衛星信号受信伝送システム。
【請求項３】
前記第１衛星の中間周波信号及び第３衛星の中間周波信号及び第２衛星の第２中間周波信号と周波数が重複しない第４衛星信号を受信するための第３の衛星受信アンテナと，
前記第４衛星信号と，前記第１衛星の中間周波信号及び第３衛星の中間周波信号及び第２衛星の第２中間周波信号を混合するための第３の混合器を，前記第１の混合器と第２の混合器の間に備えた
ことを特徴とする請求項１乃至請求項２のいずれかに記載の衛星信号受信伝送システム。
【請求項４】
前記請求項１乃至請求項３のいずれか記載の衛星信号受信伝送システムにおいて，
前記第１の分波器と，第１の周波数変換器と，第１の混合器とを一体的に形成した
ことを特徴とする衛星信号受信伝送システム。
【請求項５】
前記請求項１乃至請求項４のいずれか記載の衛星信号受信伝送システムにおいて，
前記第２の分波器と，前記第２の周波数変換器とを一体的に形成した
ことを特徴とする衛星信号受信伝送システム。
【請求項６】
前記第２の混合器に，各信号を所定レベルまで増幅する増幅器を内蔵した
ことを特徴とする請求項１乃至請求項５のいずれかに記載の衛星信号受信伝送システム。
【請求項７】
前記第１衛星が通信衛星であり，
前記第２衛星が東経１１０度通信衛星であり，
前記第３衛星が放送衛星であり，
前記第４衛星が衛星ディジタル音声放送である
ことを特徴とする請求項１乃至請求項６のいずれかに記載の衛星信号受信伝送システム。
【請求項８】
前記請求項１乃至請求項７のいずれか記載の衛星信号受信伝送システムで使用するアップコンバータであって，
前記第２衛星の第１中間周波信号を入力するための入力端子と，
前記第２衛星の第２中間周波信号を出力するための出力端子とを備え，
前記入力端子と出力端子との間には，前記第２衛星の第１中間周波信号を前記第１衛星の中間周波信号及び第３衛星の中間周波信号と周波数が重複することがなく，かつ，周波数が高い第２中間周波信号に変換するための第１の周波数変換回路を備えた
ことを特徴とするアップコンバータ。
【請求項９】
前記請求項８に記載のアップコンバータであって，
前記出力端子に接続された伝送線路に重畳されている動作用電源を抽出して，前記第１の周波数変換回路の動作電源を供給するように構成した
ことを特徴とするアップコンバータ。
【請求項１０】
前記請求項１乃至請求項７のいずれか記載の衛星信号受信伝送システムで使用するダウンコンバータであって，
前記第２衛星の第２中間周波信号を入力するための入力端子と，
前記第２衛星の第１中間周波信号を出力するための出力端子とを備え，
前記入力端子と出力端子の間には，前記第２衛星の第２中間周波信号を元の第２衛星の第１中間周波信号に変換するための第２の周波数変換回路を備えた
ことを特徴とするダウンコンバータ。
【請求項１１】
前記請求項１０に記載のダウンコンバータであって，
前記出力端子に接続された伝送線路に重畳されている動作用電源を抽出して，前記第２の周波数変換回路の動作電源を供給するよう構成した
ことを特徴とするダウンコンバータ。
【発明の詳細な説明】
【０００１】
【発明の属する技術分野】
本発明は，放送衛星（以下ＢＳという。）や通信衛星（以下ＣＳという。）からの衛星信号を受信して，複数のテレビジョン受信機に供給する衛星信号受信伝送システムと，このシステムで使用するアップコンバータ及びダウンコンバータに関する。
【０００２】
【従来の技術】
衛星から送出されるＢＳ信号及びＣＳ信号の形態及び周波数帯域は，第３衛星信号としてのＢＳ信号は１１．７ＧＨｚ〜１２．２ＧＨｚの右旋円偏波，第１衛星信号としてのＣＳ信号は１２．２５ＧＨｚ〜１２．７３ＧＨｚの垂直偏波及び１２．２７ＧＨｚ〜１２．７５ＧＨｚの水平偏波となっている。従来，ＢＳ信号とＣＳ信号は双方の衛星が離れていることもあり，ＢＳアンテナとＣＳアンテナとにより別々に受信し，それぞれ独立して複数のケーブルで受信端となる各家庭等に伝送されるか，チューナーによりＣＳ垂直偏波とＣＳ水平偏波とを切換えて受信する場合は，混合器を用いてＢＳ信号とＣＳ信号を混合することで，１本のケーブルで端末端子に伝送される。
【０００３】
【発明が解決しようとする課題】
しかし，近年打ち上げられた第２の通信衛星としての東経１１０°通信衛星（以下１１０°ＣＳという。）信号は，１２．２５ＧＨｚ〜１２．７２９ＧＨｚの左旋円偏波及び，１２．２７１ＧＨｚ〜１２．７５ＧＨｚの右旋円偏波となっており，前記第１の衛星信号と略同一の周波数を使用しているので，各衛星信号をそれぞれ受信しようとすると，伝送線路の本数が増加する。
更に，既に伝送線路が配線されている場合，伝送線路を増やすのは困難であるし，増やせたとしても建造物等の壁面に露出して配線する必要があり，美観の点においても問題である。
【０００４】
そこで，本発明はこうした問題に鑑み，各衛星信号（詳しくは中間周波信号）を１本の伝送線路で各端末端子まで伝送できる衛星信号受信伝送システムを提供することを目的とする。
他の目的は，設置コストの低い衛星信号受信伝送システムを提供することである。
他の目的は，配線数が少なく，美観に優れた衛星信号受信伝送システムを提供することである。
他の目的は，追加する装置の数・種類が少なくて済む衛星信号受信伝送システムを提供することである。
他の目的は，衛星が追加されても既存の衛星信号受信伝送システムに容易に追加できる衛星信号受信伝送システムを提供することである。
他の目的は，狭い室内においても設置が容易な衛星信号受信伝送システムを提供することである。
他の目的は，Ｃ／Ｎを劣化させずに良好な画像を提供することができる衛星信号受信伝送システムを提供することである。
他の目的は，伝送線路の周波数利用効率を上げることができる衛星信号受信伝送システムを提供することである。
他の目的は，各衛星中間周波信号を１本の伝送線路で各端末端子まで伝送するためのアップコンバータを提供することである。
他の目的は，１本の伝送線路で各端末端子まで伝送された混合信号から，元の衛星中間周波信号に変換するダウンコンバータを提供することである。
他の目的は，電源供給のための配線が不要なアップコンバータを提供することである。
他の目的は，電源供給のための配線が不要なダウンコンバータを提供することである。
【０００５】
【課題を解決するための手段】
上記課題を解決するために，請求項１の発明は，衛星信号受信伝送システムにおいて，
第１衛星の信号を受信して，少なくとも一部の周波数が重複する，異なる偏波の組からなる中間周波信号を切換えて出力する第１の衛星受信アンテナと，
第２衛星の信号と第３衛星の信号を受信して，前記第１衛星の中間周波信号の周波数と少なくとも一部が重複する第２衛星の第１中間周波信号及び，前記第１衛星の中間周波信号の周波数とは重複しない第３衛星の中間周波信号を出力する第２の衛星受信アンテナと，
前記第２の衛星受信アンテナが受信した第２衛星の第１中間周波信号と第３衛星の中間周波信号を分波して出力する第１の分波器と，
前記第２衛星の第１中間周波信号を，前記第１衛星の中間周波信号及び第３衛星の中間周波信号と周波数が異なる第２衛星の第２中間周波信号に変換するための第１の周波数変換器と，
前記第３衛星の中間周波信号と第２衛星の第２中間周波信号を混合するための第１の混合器と，
前記第１の混合器で混合された混合信号と第１衛星の中間周波信号を混合するための第２の混合器を備え，
前記第２の混合器から出力される前記第１衛星の中間周波信号と第３衛星の中間周波信号と第２衛星の第２中間周波信号を，１本の伝送線路で端末端子まで伝送すると共に，
端末端子には前記第１衛星の中間周波信号と第３衛星の中間周波信号と第２衛星の第２中間周波信号とを各々分波して出力する第２の分波器を備え，
前記第２の分波器から出力された第２衛星の第２中間周波信号を，元の第２衛星の第１中間周波信号に戻すための第２の周波数変換器を備えるよう構成される。
【０００６】
請求項２の発明は，前記第２の混合器で，前記第１衛星の中間周波信号と第３衛星の中間周波信号と第２衛星の第２中間周波信号と周波数が重複することがない信号を混合して，端末端子まで伝送するよう構成される。
【０００７】
請求項３の発明は，前記第１衛星の中間周波信号及び第３衛星の中間周波信号及び第２衛星の第２中間周波信号と周波数が重複しない第４衛星信号を受信するための第３の衛星受信アンテナと，
前記第４衛星信号と，前記第１衛星の中間周波信号及び第３衛星の中間周波信号及び第２衛星の第２中間周波信号を混合するための第３の混合器を，前記第１の混合器と第２の混合器の間に備えるよう構成される。
【０００８】
請求項４の発明は，前記請求項１乃至請求項３のいずれか記載の衛星信号受信伝送システムにおいて，
前記第１の分波器と，第１の周波数変換器と，第１の混合器とを一体的に形成するよう構成される。
【０００９】
請求項５の発明は，前記請求項１乃至請求項４のいずれか記載の衛星信号受信伝送システムにおいて，
前記第２の分波器と，前記第２の周波数変換器とを一体的に形成するよう構成される。
【００１０】
請求項６の発明は，前記第２の混合器に，各信号を所定レベルまで増幅する増幅器を内蔵するよう構成される。
【００１１】
請求項７の発明は，前記第１衛星が通信衛星であり，
前記第２衛星が東経１１０度通信衛星であり，
前記第３衛星が放送衛星であり，
前記第４衛星が衛星ディジタル音声放送であるよう構成される。
【００１２】
請求項８の発明は，前記請求項１乃至請求項７のいずれか記載の衛星信号受信伝送システムで使用するアップコンバータであって，
前記第２衛星の第１中間周波信号を入力するための入力端子と，
前記第２衛星の第２中間周波信号を出力するための出力端子とを備え，
前記入力端子と出力端子との間には，前記第２衛星の第１中間周波信号を前記第１衛星の中間周波信号及び第３衛星の中間周波信号と周波数が重複することがなく，かつ，周波数が高い第２中間周波信号に変換するための第１の周波数変換回路を備えるよう構成される。
【００１３】
請求項９の発明は，前記請求項８に記載のアップコンバータであって，
前記出力端子に接続された伝送線路に重畳されている動作用電源を抽出して，前記第１の周波数変換回路の動作電源を供給するよう構成される。
【００１４】
請求項１０の発明は，前記請求項１乃至請求項７のいずれか記載の衛星信号受信伝送システムで使用するダウンコンバータであって，
前記第２衛星の第２中間周波信号を入力するための入力端子と，
前記第２衛星の第１中間周波信号を出力するための出力端子とを備え，
前記入力端子と出力端子の間には，前記第２衛星の第２中間周波信号を元の第２衛星の第１中間周波信号に変換するための第２の周波数変換回路を備えるよう構成される。
【００１５】
請求項１１の発明は，前記請求項１０に記載のダウンコンバータであって，
前記出力端子に接続された伝送線路に重畳されている動作用電源を抽出して，前記第２の周波数変換回路の動作電源を供給するよう構成される。
【００１６】
【発明の実施の形態】
以下，本発明を具体化した実施形態を図面に基づいて詳細に説明する。
図１は，衛星信号受信伝送システムの構成を示すブロック図であり，
１はＶＨＦ帯の地上波テレビジョン放送信号を受信するためのＶＨＦ受信アンテナ，
２はＵＨＦ帯の地上波テレビジョン放送信号を受信するためのＵＨＦ受信アンテナ，
３は第３衛星としてのＢＳ及び，第２衛星としての１１０°ＣＳを受信し，１〜２ＧＨｚ帯の中間周波信号に変換するコンバータ３ａを備えた第２の衛星受信アンテナ，
４は第４衛星としての衛星ディジタル音声放送信号を受信する第３の衛星受信アンテナ，
５は第１衛星としてのＣＳを受信し，１〜２ＧＨｚ帯の中間周波信号に変換するコンバータ５ａを備えた第１の衛星受信アンテナである。
そして１０は，ＢＳ中間周波信号と１１０°ＣＳ第１中間周波信号を分離して出力するための第１の分波器，
１１は１１０°ＣＳ第１中間周波信号を前記ＣＳ中間周波信号及びＢＳ中間周波信号と周波数が異なる１１０°ＣＳ第２中間周波信号に変換するアップコンバータ，
１２はＢＳ中間周波信号と１１０°ＣＳ第２中間周波信号を混合するための第１の混合器，
１３は前記第１の混合器１２から出力された混合信号（詳しくはＢＳ中間周波信号及び１１０°ＣＳ第２中間周波信号）と前記衛星ディジタル音声放送信号を混合するための第３の混合器，
１４は前記ＶＨＦ帯地上波テレビジョン放送信号と前記ＵＨＦ帯地上波テレビジョン放送信号とＢＳ中間周波信号と１１０°ＣＳ第２中間周波信号と衛星ディジタル音声放送信号とＣＳ中間周波信号をそれぞれ所定レベルまで増幅してから混合して，伝送線路Ｌに出力する混合増幅器である。
尚，アップコンバータ１１が本発明の第１の周波数変換器に相当し，混合増幅器１４が第２の混合器に相当する。
前記１〜１４までの各機器が，一般に屋外の各電波が受信できる場所に設置されている。
【００１７】
次に，一般に屋内に設置される機器について説明する。
１５は分配器，１６は端末端子であり，分配器１５の各分配端子に各々接続されている。
１７は端末端子に出力された各衛星信号及び地上波テレビジョン信号を，それぞれ分離して出力するための第２の分波器である。
１８は前記１１０°ＣＳ第２中間周波信号を元の第２の１１０°ＣＳ第１中間周波信号に再変換するためのダウンコンバータである。
ダウンコンバータ１８が本発明の第２の周波数変換器に相当する。
１９は１１０°ＣＳ受信機，２０はＣＳ受信機，２２は衛星ディジタル音声放送受信機，２３はテレビジョン受信機である。
【００１８】
次に，アップコンバータ１１とダウンコンバータ１８について，図２，図３を用いて詳しく説明する。
図２は，アップコンバータ１１の詳細な構成を示すブロック図であり，１１ａは入力端子，１１ｂは出力端子，１１ｃは周波数変換回路，１１ｄは電源フィルタ，１１ｅは電源回路である。尚，周波数変換回路１１ｃが本発明の第１の周波数変換回路に相当する。
アップコンバータは導電性を有し，シールド効果があって，且つ，防水性が良好なケース内に収納されており，アップコンバータの動作用電源は，前記混合増幅器１４から前記１１０°ＣＳ第２中間周波信号伝送用の伝送線路に重畳して供給されるようになっている。
【００１９】
図３は，ダウンコンバータ１８の詳細な構成を示すブロック図であり，１８ａは入力端子，１８ｂは出力端子，１８ｃは周波数変換回路，１８ｄは電源フィルタ，１８ｅは電源回路である。尚，周波数変換回路１８ｃが本発明の第２の周波数変換回路に相当する。
ダウンコンバータは導電性を有し，シールド効果のあるケース内に収納されており，ダウンコンバータの動作用電源は前記１１０°ＣＳ受信機１９から１１０°ＣＳ第１中間周波信号伝送用の伝送線路に重畳して供給されるようになっている。
【００２０】
次に，混合増幅器１４について，図４を用いて詳しく説明する。
１４ａはＶＨＦ帯の地上波テレビジョン放送信号を入力するための入力端子，１４ｂはＵＨＦ帯の地上波テレビジョン放送信号を入力するための入力端子，
１４ｃはＢＳ中間周波信号及び１１０°ＣＳ第２中間周波信号及び衛星ディジタル音声放送信号を入力するための入力端子，
１４ｄはＣＳ中間周波信号を入力するための入力端子，
１４ｅはＡＣ１００Ｖを入力するための入力端子，
１４ｆは各衛星放送信号及び地上波テレビジョン信号を出力する出力端子である。
２４ａ〜２４ｄは各信号を所定レベルまで増幅するための増幅器，
１４ｇ〜１４ｉは電源フィルタ，
１４ｊは電源回路である。
１４ｋは前記ＶＨＦ帯の地上波テレビジョン放送信号と，ＵＨＦ帯の地上波テレビジョン放送信号を混合するための混合器，
１４ｌはＢＳ中間周波信号と１１０°ＣＳ第２中間周波信号・衛星ディジタル音声放送信号を分波して出力するための分波器，
１４ｍは１１０°ＣＳ第２中間周波信号・衛星ディジタル音声放送信号とＣＳ中間周波信号を混合するための混合器，
１４ｎは前記混合器１４ｍで混合された混合信号（詳しくは１１０°ＣＳ第２中間周波信号，衛星ディジタル音声放送信号，ＣＳ中間周波信号）とＢＳ中間周波信号を混合するための混合器であり，
１４ｏは混合器１４ｎで混合された混合信号（詳しくはＢＳ中間周波信号，１１０°ＣＳ第２中間周波信号，衛星ディジタル音声放送信号，ＣＳ中間周波信号）と，混合器１４ｋで混合されたＶＨＦ・ＵＨＦ帯の地上波テレビジョン放送を混合して出力するための混合器である。
尚，混合増幅器１４は，導電性を有し，シールド効果があって，かつ，防水性が良好なケースに収納されている。また，混合増幅器１４は，各アンテナの至近に設けられたり，電源が容易に確保できる軒下などに設置される。
【００２１】
次に，第２の分波器１７について，図５を用いて詳しく説明する。
１７ａは入力端子，１７ｂは衛星ディジタル音声放送信号出力端子，１７ｃは１１０°ＣＳ第２中間周波信号出力端子，１７ｄはＣＳ中間周波信号出力端子，１７ｅはＢＳ中間周波信号出力端子，１７ｆはＶＨＦ帯及びＵＨＦ帯の地上波テレビジョン放送信号出力端子である。１７ｇ，１７ｈは電源フィルタである。１７ｉは，入力端子に入力されたＢＳ中間周波信号，１１０°ＣＳ第２中間周波信号，衛星ディジタル音声放送信号，ＣＳ中間周波信号及びＶＨＦ・ＵＨＦ帯の地上波テレビジョン放送信号の中から，地上波ディジタル音声放送信号のみ抽出して出力するための分波器であり，１７ｊは，１７ｉで抽出された残りの信号から，１１０°ＣＳ第２中間周波信号のみ抽出して出力するための分波器であり，１７ｋは，１７ｊで抽出された残りの信号から，ＣＳ中間周波信号のみ抽出して出力するための分波器であり，１７ｌは，１７ｋで抽出された残りの信号から，ＢＳ中間周波信号とＶＨＦ・ＵＨＦ帯の地上波テレビジョン放送信号を分離して出力するための分波器である。
尚，第２の分波器１７は，導電性を有し，シールド効果のあるケースに収納されている。
【００２２】
次に，衛星信号受信伝送システムの動作について詳しく説明する。
第２の衛星受信アンテナ３で受信したＢＳ信号（第３衛星信号）及び１１０°ＣＳ信号（第２衛星信号）は，図６（Ａ）に示す通りコンバータ３ａで，前記ＢＳ信号は１０３２〜１４８９ＭＨｚのＢＳ中間周波信号に変換され，前記１１０°ＣＳ信号は１５９５ＭＨｚ〜２０７１ＭＨｚの１１０°ＣＳ第１中間周波信号に変換された後，第１の分波器１０に供給される。
第１の分波器１０に供給された両中間周波信号は，それぞれ分波して出力され，前記１１０°ＣＳ第１中間周波信号はアップコンバータ１１の周波数変換回路１１ｃで前記ＢＳ中間周波信号及び後述するＣＳ中間周波信号と周波数が重複することなく，かつ，高い周波数の１１０°ＣＳ第２中間周波信号に変換される。
本実施例では，１１０°ＣＳ第２中間周波信号として１１０°ＣＳ第１中間周波信号より５３１ＭＨｚ高い２１２６ＭＨｚ〜２６０２ＭＨｚを採用している。
一方，分波器１０で分波されたＢＳ中間周波信号と，前記アップコンバータ１１で周波数変換された１１０°ＣＳ第２中間周波信号は，前記混合器１２で混合され，混合器１２の出力端子には図６（Ｂ）に示す通り，ＢＳ中間周波信号と１１０°ＣＳ第２中間周波信号が出力される。
【００２３】
次に，混合器１３では更に第４衛星信号としての衛星ディジタル音声放送信号（２６３０ＭＨｚ〜２６５５ＭＨｚ）が混合され，混合増幅器１４の入力端子１４ｃに供給される。
また，混合増幅器１４の入力端子１４ｄには，第１の衛星受信アンテナ５で受信したＣＳ信号（第１衛星信号）はコンバータ５ａで１５７２ＭＨｚ〜２０７２ＭＨｚに変換されたＣＳ中間周波信号が供給される。
また，混合増幅器１４の入力端子１４ａ，１４ｂには，それぞれＶＨＦ受信アンテナ１，ＵＨＦ受信アンテナ２で各々受信したＶＨＦ帯・ＵＨＦ帯の地上波テレビジョン放送信号が供給されている。
【００２４】
混合増幅器１４の入力端子１４ａ，１４ｂに各々入力されたＶＨＦ帯・ＵＨＦ帯の地上波テレビジョン放送信号は，増幅器２４ａ，２４ｂで各々所定レベルまで増幅され，混合器１４ｋで混合され，混合器１４ｏに供給される。
また，入力端子１４ｃ，１４ｄに各々入力されたＢＳ中間周波信号と１１０°ＣＳ第２中間周波信号と衛星ディジタル音声放送信号の混合信号とＣＳ中間周波信号は，電源フィルタ１４ｇ，１４ｈを介して増幅器２４ｃ，２４ｄで所定レベルまで増幅された後，分波器１４ｌで分波された１１０°ＣＳ第２中間周波信号・衛星ディジタル音声放送信号と増幅器２４ｄで増幅されたＣＳ中間周波信号が混合器１４ｍで混合され，混合器１４ｍで混合された混合信号と分波器１４ｌで分波された他方のＢＳ中間周波信号が混合器１４ｎで混合され，混合器１４ｏに供給される。
【００２５】
そして，混合器１４ｏでは前記混合器１４ｋの混合信号（詳しくはＶＨＦ・ＵＨＦ帯の地上波テレビジョン放送信号）と前記混合器１４ｎの混合信号（詳しくはＢＳ中間周波信号，１１０°ＣＳ第２中間周波信号，衛星ディジタル音声放送信号，ＣＳ中間周波信号）が混合され，電源フィルタ１４ｉを介して出力端子１４ｆに供給される。
混合増幅器１４の出力端子１４ｆにおける周波数スペクトルを図６（Ｃ）に示す。
尚，増幅器２４ａ〜２４ｄの動作用電源は，商用電源ＡＣ１００Ｖを入力する入力端子１４ｅ及び，電源回路１４ｊを介して供給されている。また，第２衛星受信アンテナ３のコンバータ３ａ及びアップコンバータ１１及び衛星ディジタル音声放送受信アンテナ４を動作させるために，入力端子１４ｃに電源フィルタ１４ｇを介して動作電源（本実施例ではＤＣ１５Ｖ）を供給している。
【００２６】
尚，分波器１０，混合器１２，１３は，動作用電源が通過出来るように構成されている。また，後述するＣＳ受信機２０から出力される衛星切替信号（２０ｋＨｚ〜５０ｋＨｚ信号の有無）及び，コンバータ５ａの動作用電源兼偏波切換信号（ＤＣ１１Ｖ又はＤＣ１５Ｖ）が伝送線路Ｌを介して混合増幅器１４の出力端子１４ｆに供給される。
この衛星切換信号及び偏波切換信号を入力端子１４ｄに接続された第１の衛星受信アンテナ５（詳しくはコンバータ５ａ）に伝送するために電源フィルタ１４ｉ，１４ｈが設けられている。
【００２７】
次に，混合増幅器１４の出力端子１４ｆに出力された混合信号は，分配器１５で必要数に分配され，複数設けた端末端子１６ａ…まで伝送される。
端末端子１６まで伝送された混合信号は，第２の分波器１７の入力端子１７ａに入力され，電源フィルタ１７ｇを介して分波器１７ｉに入力され，混合信号の中から周波数が高い順に衛星ディジタル音声放送信号，１１０°ＣＳ第２中間周波信号，ＣＳ中間周波信号，ＢＳ中間周波信号，ＶＨＦ・ＵＨＦ帯の地上波テレビジョン放送信号がそれぞれ出力端子１７ｂ，１７ｃ，１７ｄ，１７ｅ，１７ｆに出力される。
また，電源フィルタ１７ｇ，１７ｈは，前記１４ｉ，１４ｈと同様にＣＳ受信機２０から出力される衛星切換信号，偏波切換信号を第１の衛星受信アンテナ５（詳しくはコンバータ５ａ）に伝送するために設けられている。
【００２８】
第２の分波器１７の出力端子１７ｂに出力された衛星ディジタル音声放送信号は，衛星ディジタル音声放送受信機２２で受信される。
また，出力端子１７ｃに出力された１１０°ＣＳ第２中間周波信号は，ダウンコンバータ１８の入力端子１８ａに入力され，周波数変換回路１８ｃで元の１１０°ＣＳ第１中間周波信号に変換した後，電源フィルタ１８ｄを介して，出力端子１８ｂに出力される。出力端子１８ｂに出力された１１０°ＣＳ第１中間周波信号は，１１０°ＣＳ受信機１９で受信され，映像・音声信号がテレビジョン受信機２３に供給され表示される。
ここで，ダウンコンバータ１８の入力端子１８ａ及び，出力端子１８ｂにおける周波数スペクトルを図６（Ｄ），（Ｅ）に示す。
尚，ダウンコンバータの動作電源は，前記１１０°ＣＳ受信機１９から信号伝送路を介して出力端子１８ｂに供給され，電源フィルタ１８ｄで分離出力され，電源回路１８ｅを介して周波数変換回路１８ｃに供給されるよう構成されている。
【００２９】
次に，出力端子１７ｄに出力されたＣＳ中間周波信号は，ＣＳ受信機２０で受信され，映像・音声信号がテレビジョン受像機に供給され表示される。
ここで，出力端子１７ｄにおける周波数スペクトルを図６（Ｆ）に示す。
また，使用者がＣＳ受信機２０を操作して受信チャンネルを変更すると，受信チャンネルに対応する衛星切換信号（２０ｋＨｚ〜５０ｋＨｚの信号の有無）及び動作用電源兼偏波切換信号（ＤＣ１１Ｖ／１５Ｖ）が生成され，信号伝送線路を介して出力端子１７ｄに供給され，前述した通り電源フィルタ１７ｈ，１７ｇ，端末端子１６，分配器１５，電源フィルタ１４ｉ，１４ｈを介してコンバータ５ａに伝送するように構成されている。
【００３０】
尚，本発明は上記実施の形態に限定されるものではなく，以下に例示するように本発明の趣旨を逸脱しない範囲で，適宜変更して実施することも可能である。また，本発明の実施形態と同様の構成要素については，同一符号を付与し，詳細な説明は省略する。
例えば，本発明ではアップコンバータ１１，分波器１０，混合器１２をそれぞれ別体で設けた説明をしたが，図７に示すように一体的に形成したアップコンバータ２１に変更してもよい。このようにすれば，機器の数を少なくすることができるので，設置工事が容易となると共に，メンテナンスが容易になるという効果も奏する。
次に，本発明では第２の分波器１７，ダウンコンバータ１８をそれぞれ別体で設けて説明したが，図８に示すように一体的に形成したダウンコンバータ２８に変更しても良い。このようにすれば，機器の数が少なく，配線も少なくなるので，設置工事が容易になると共に，美観が向上するという効果も奏する。
【００３１】
図８と図５の相違点は，分配器２８ｈと混合器２８ｇが設けられている点である。分波器１７ｌで分波されたＢＳ中間周波信号を分配器２８ｈで分配し，一方の分配端子は混合器２８ｇで１１０°ＣＳ第１中間周波信号と混合され，電源フィルタ１８ｄを介して出力端子２８ｃに出力している。このようにすれば，外部に分配器や混合器を用意することなくＢＳ内蔵の１１０°ＣＳ受信機が利用できるようになる。
また，本実施例ではＶＨＦ帯・ＵＨＦ帯の地上波テレビジョン放送受信用アンテナ１，２を設ける説明をしたが，これに代わって例えば７０ＭＨｚ〜７７０ＭＨｚのＣＡＴＶ信号に対応するように変更してもよい。この場合，混合増幅器１４をＣＡＴＶ信号に対応できるように一部変更する必要がある。
【００３２】
【発明の効果】
以上詳述したように，請求項１の発明によれば，衛星信号受信伝送システムにおいて，
第１衛星の信号を受信して，少なくとも一部の周波数が重複する，異なる偏波の組からなる中間周波信号を切換えて出力する第１の衛星受信アンテナと，
第２衛星の信号と第３衛星の信号を受信して，前記第１衛星の中間周波信号の周波数と少なくとも一部が重複する第２衛星の第１中間周波信号及び，前記第１衛星の中間周波信号の周波数とは重複しない第３衛星の中間周波信号を出力する第２の衛星受信アンテナと，
前記第２の衛星受信アンテナが受信した第２衛星の第１中間周波信号と第３衛星の中間周波信号を分波して出力する第１の分波器と，
前記第２衛星の第１中間周波信号を，前記第１衛星の中間周波信号及び第３衛星の中間周波信号と周波数が異なる第２衛星の第２中間周波信号に変換するための第１の周波数変換器と，
前記第３衛星の中間周波信号と第２衛星の第２中間周波信号を混合するための第１の混合器と，
前記第１の混合器で混合された混合信号と第１衛星の中間周波信号を混合するための第２の混合器を備え，
前記第２の混合器から出力される前記第１衛星の中間周波信号と第３衛星の中間周波信号と第２衛星の第２中間周波信号を，１本の伝送線路で端末端子まで伝送すると共に，
端末端子には前記第１衛星の中間周波信号と第３衛星の中間周波信号と第２衛星の第２中間周波信号とを各々分波して出力する第２の分波器を備え，
前記第２の分波器から出力された第２衛星の第２中間周波信号を，元の第２衛星の第１中間周波信号に戻すための第２の周波数変換器を備えているので，
各衛星信号（詳しくは中間周波信号）を１本の伝送線路で各端末端子まで伝送すると共に，配線数が少なく，美観に優れた衛星信号受信伝送システムを提供することができる。
【００３３】
請求項２の発明によれば，前記第２の混合器で，前記第１衛星の中間周波信号と第３衛星の中間周波信号と第２衛星の第２中間周波信号と周波数が重複することがない信号を混合して，端末端子まで伝送するよう構成したので，
伝送線路の周波数利用効率を上げることができる衛星信号受信伝送システムを提供することができる。
【００３４】
請求項３の発明によれば，前記第１衛星の中間周波信号及び第３衛星の中間周波信号及び第２衛星の第２中間周波信号と周波数が重複しない第４衛星信号を受信するための第３の衛星受信アンテナと，
前記第４衛星信号と，前記第１衛星の中間周波信号及び第３衛星の中間周波信号及び第２衛星の第２中間周波信号を混合するための第３の混合器を，前記第１の混合器と第２の混合器の間に備えているので，
衛星が追加されても既存の衛星信号受信伝送システムに容易に追加できる衛星信号受信伝送システムを提供することができる。
【００３５】
請求項４の発明によれば，前記請求項１乃至請求項３のいずれか記載の衛星信号受信伝送システムにおいて，
前記第１の分波器と，第１の周波数変換器と，第１の混合器とを一体的に形成しているので，
追加する装置の数・種類が少なく，設置コストの低い衛星信号受信伝送システムを提供することができる。
【００３６】
請求項５の発明によれば，前記請求項１乃至請求項４のいずれか記載の衛星信号受信伝送システムにおいて，
前記第２の分波器と，前記第２の周波数変換器とを一体的に形成しているので，追加する装置の数・種類が少なく，設置コストの低いと共に，狭い室内においても設置が容易な衛星信号受信伝送システムを提供することができる。
【００３７】
請求項６の発明によれば，前記第２の混合器に，各信号を所定レベルまで増幅する増幅器を内蔵しているので，
Ｃ／Ｎを劣化させずに良好な画像を提供することができる衛星信号受信伝送システムを提供することができる。
【００３８】
請求項７の発明によれば，前記第１衛星が通信衛星であり，
前記第２衛星が東経１１０度通信衛星であり，
前記第３衛星が放送衛星であり，
前記第４衛星が衛星ディジタル音声放送であるので，
衛星が追加されても既存の衛星信号受信伝送システムに容易に追加できる衛星信号受信伝送システムを提供することができる。
【００３９】
請求項８の発明によれば，前記請求項１乃至請求項７のいずれか記載の衛星信号受信伝送システムで使用するアップコンバータであって，
前記第２衛星の第１中間周波信号を入力するための入力端子と，
前記第２衛星の第２中間周波信号を出力するための出力端子とを備え，
前記入力端子と出力端子との間には，前記第２衛星の第１中間周波信号を前記第１衛星の中間周波信号及び第３衛星の中間周波信号と周波数が重複することがなく，かつ，周波数が高い第２中間周波信号に変換するための第１の周波数変換回路を備えているので，
各衛星中間周波信号を１本の伝送線路で各端末端子まで伝送するためのアップコンバータを提供することができる。
【００４０】
請求項９の発明によれば，前記請求項８に記載のアップコンバータであって，前記出力端子に接続された伝送線路に重畳されている動作用電源を抽出して，前記第１の周波数変換回路の動作電源を供給するように構成しているので，
電源供給のための配線が不要なアップコンバータを提供することができる。
【００４１】
請求項１０の発明によれば，前記請求項１乃至請求項７のいずれか記載の衛星信号受信伝送システムで使用するダウンコンバータであって，
前記第２衛星の第２中間周波信号を入力するための入力端子と，
前記第２衛星の第１中間周波信号を出力するための出力端子とを備え，
前記入力端子と出力端子の間には，前記第２衛星の第２中間周波信号を元の第２衛星の第１中間周波信号に変換するための第２の周波数変換回路を備えているので，
１本の伝送線路で各端末端子まで伝送された混合信号から，元の衛星中間周波信号に変換するダウンコンバータを提供することができる。
【００４２】
請求項１１の発明によれば，前記請求項１０に記載のダウンコンバータであって，
前記出力端子に接続された伝送線路に重畳されている動作用電源を抽出して，前記第２の周波数変換回路の動作電源を供給するよう構成しているので，
電源供給のための配線が不要なダウンコンバータを提供することができる。
【図面の簡単な説明】
【図１】本発明の衛星信号受信伝送システムのブロック図である。
【図２】アップコンバータの構成を示すブロック図である。
【図３】ダウンコンバータの構成を示すブロック図である。
【図４】混合増幅器の構成を示すブロック図である。
【図５】第２の分波器の構成を示すブロック図である。
【図６】周波数スペクトルを示す説明図である。
（Ａ）コンバータ３ａの出力端子における周波数スペクトルである。
（Ｂ）第１の混合器出力端子における周波数スペクトルである。
（Ｃ）混合増幅器出力端子における周波数スペクトルである。
（Ｄ）第２の分波器の第２衛星の第２中間周波信号出力端子における周波数スペクトルである。
（Ｅ）ダウンコンバータの出力端子における周波数スペクトルである。
（Ｆ）第２の分波器の第１衛星の中間周波信号出力端子における周波数スペクトルである。
【図７】異なる実施形態のアップコンバータのブロック図である。
【図８】異なる実施形態のダウンコンバータのブロック図である。
【符号の説明】
１…ＶＨＦ受信アンテナ，２…ＵＨＦ受信アンテナ，３…第２の衛星受信アンテナ，４…第３の衛星受信アンテナ，５…第１の衛星受信アンテナ，１０…第１の分波器，１１…第１の周波数変換器，１２…第１の混合器，１３…第３の混合器，１４…混合増幅器，１５…分配器，１６…端末端子，１７…第２の分波器，１８…第２の周波数変換器，１９…１１０°ＣＳ受信機，２０…ＣＳ受信機，２１…第１の周波数変換器，２２…衛星ディジタル音声放送受信機，２３…テレビジョン受信機，２４…増幅器，２８…第２の周波数変換器。
【図１】
2004032203.tif 000003
【図２】
2004032203.tif 000004
【図３】
2004032203.tif 000005
【図４】
2004032203.tif 000006
【図５】
2004032203.tif 000007
【図６】
2004032203.tif 000008
【図７】
2004032203.tif 000009
【図８】
2004032203.tif 000010